(57)【要約】      （修正有）【課題】製造コストの低廉な、柔軟で取り扱いやすいエアコン室外機用シェードを提供する。【解決手段】シェード１０を、難燃性ポリエチレンフォームからなる発泡樹脂ボード１１と、この発泡樹脂ボード１１の表面に積層された蒸着アルミニウム層を含む反射層１２とから構成する。使用の際には、室外機の上面に、ボード１１が下側に反射層１２が上側になるように載置し、ベルト挿通孔１３にベルトを通し室外機に掛けまわしてずれ動かないように固定する。室外機への直射日光が遮られ、反射層１２が日光を反射し、発泡樹脂ボード１１が断熱するため、室外機の温度が上昇することが抑制される。ポリエチレンフォームは柔軟でコシがあるため、破損変形しにくく、取り扱いやすい。難燃性なのでシェード１０の延焼が防止される。アルミニウムは吸熱性が低いのでシェード１０の昇温の抑制になる。構造が簡単であるため、製造コストが低廉となる。【選択図】図１
0003141403.tif 000002
【実用新案登録請求の範囲】
【請求項１】
発泡樹脂ボード１１と、この発泡樹脂ボード１１の一面に積層された金属層を含む反射層１２とからなり、
前記発泡樹脂ボード１１側を下に、反射層１２側を上にして、エアコン室外機２０の上面に載置することで、エアコン室外機２０への直射日光を遮るエアコン室外機用シェード。
【請求項２】
前記発泡樹脂ボード１１は、難燃性ポリエチレンフォームのボードである請求項１に記載のエアコン室外機用シェード。
【請求項３】
前記反射層１２は、合成樹脂フィルムにアルミニウムを蒸着して形成された請求項１又は２に記載のエアコン室外機用シェード。
【請求項４】
エアコン室外機２０に掛け回すベルト３０を挿通するためのベルト挿通孔１３を設けた、請求項１から３のいずれかに記載のエアコン室外機用シェード。
【請求項５】
折り畳み可能に形成した請求項１から４のいずれかに記載のエアコン室外機用シェード。
【考案の詳細な説明】
【技術分野】
【０００１】
この考案は、エアコン室外機への直射日光を遮るためのシェードに関する。
【背景技術】
【０００２】
エアコン（エアコンディショナ）の室外機は、直射日光にさらされるとその運転状態とは無関係に温度が上昇する。
そのため、夏場などの冷房運転時には、温度上昇によって冷房能力が低下してしまい、また電力を浪費してしまう問題がある。
【０００３】
そこで特許文献１のような、エアコン室外機の上面に載置して直射日光を遮るためのシェードが考案されている。
このシェードは、アルミニウム箔、グラスウール、ワイヤーメッシュ、防炎シートを順に積層した４層構造になっており、アルミ箔側を上に、防炎シート側を下にしてエアコン室外機の上面に載置して使用する。
【０００４】
その具体的な作用は特許文献１の記載からは明らかではないが、アルミニウム箔が日光を反射し、グラスウールが断熱するため、エアコン室外機の昇温が効果的に防止されると考えられる。
また、防炎シートがシェードの延焼を防止し、ワイヤーメッシュは、保形性の低いグラスウールや防炎シートを補強するために用いられていると考えられる。
【特許文献１】特開２００６−２９７５６号公報
【考案の開示】
【考案が解決しようとする課題】
【０００５】
しかしながら、上記のように特許文献１のエアコン室外機用シェードは、４層構造となって構造が複雑であるため、製造コストが高くつく問題がある。
また、ワイヤーメッシュが入っているため、柔軟性がなくて取り扱いにくく、物品や人にぶつかった場合に、シェード自身や物品が破損したり、人が怪我をしたりする恐れがある。
【０００６】
そこでこの考案は、製造コストの低廉な、取り扱いやすいエアコン室外機用シェードを提供することを課題とする。
【課題を解決するための手段】
【０００７】
上記課題を解決するため、この考案のエアコン室外機用シェードを、発泡樹脂ボードと、この発泡樹脂ボードの一面に積層された金属層を含む反射層とから構成し、前記発泡樹脂ボード側を下に、反射層側に上にして、エアコン室外機の上面に載置することで、エアコン室外機への直射日光を遮るようにしたのである。
【０００８】
このようにシェードを構成すると、反射層がその金属層によって日光を反射し、断熱性を有する発泡樹脂ボードが金属層側からの熱伝導を防止するため、エアコン室外機の温度が上昇するのが防止される。
また、このシェードは、エアコン室外機の埃除けにもなる。
ここで、このシェードは発泡樹脂ボードに反射層を積層しただけの構造であるため、特許文献１のシェードに比べて構造が簡略化されており、その製造コストが低廉に抑えられる。
さらに、発泡樹脂ボードは、適度な柔軟性およびコシを持つため、補強の必要がなく、物品や人にぶつかっても、シェードや物品が破損したり、人がけがしたりする恐れがなく、取り扱いが容易である。
【０００９】
前記発泡樹脂ボードを、難燃性ポリエチレンフォームのボードとすると、ポリエチレンフォームは特に柔軟性およびコシが優れ、また安価でもあるため好ましい。
さらに難燃性であるため、ボード自身の昇温による発火、エアコン室外機からの延焼が防止される。
【００１０】
反射層を、合成樹脂フィルムにアルミニウムを蒸着した構成（すなわち金属層としてのアルミニウム層が形成される）とすると、安価であり、また伝熱性が低く、柔軟で発泡樹脂ボードとの一体性が高いためより好ましい。
【００１１】
さらにこのシェードにエアコン室外機に掛け回すベルトを挿通するためのベルト挿通孔を設けるのがより好ましい。
ベルト挿通孔にベルトを通し、シェードをエアコン室外機の上面に載置した状態で、このベルトを室外機の縦方向に掛け回すと、シェードを室外機の上面からずれ動かないように固定できる。
【００１２】
さらにこのシェードを折り畳み可能に形成すると、不使用時には折り畳んでコンパクトにできるため、嵩張らない。
【考案の効果】
【００１３】
発泡樹脂ボードと、この発泡樹脂ボードの一面に積層された金属層を含む反射層とからエアコン室外機用シェードを構成し、前記発泡樹脂ボード側を下に、反射層側を上にして、室外機上面に載置して直射日光を遮る構成を採用したため、低コスト化が図られ、取り扱いが容易となった。
【考案を実施するための最良の形態】
【００１４】
図１のように、実施形態のエアコン室外機用シェード１０（以下、シェード１０と略す。）は、難燃剤を添加したポリエチレンフォーム（難燃性ポリエチレンフォーム）からなる長方形の発泡樹脂ボード１１と、この発泡樹脂ボード１１の表面に積層された反射層１２とから構成される。
反射層１２は、発泡樹脂ボード１１側から順に、ポリエチレンフィルム、アルミニウムからなる金属層、ポリエチレンテレフタレート（ＰＥＴ）フィルムの３層構造となっている。
そのポリエチレンフィルムが発泡樹脂ボード１１に溶着されることで、反射層１２は発泡樹脂ボード１１と一体化しており、またその金属層はＰＥＴフィルムにアルミニウムを蒸着することにより形成されている。
アルミニウムの蒸着対象としてＰＥＴフィルムを選択すると、蒸着状態が綺麗に仕上がり、その光反射度が良好となる。
【００１５】
図１および図３のように、このシェード１０の長手方向の両端には、表裏面を貫通する各一対の長円形のベルト挿通孔１３が幅方向に並列して設けられている。
図示のように、各一対のベルト挿通孔１３は、それぞれシェード１０の幅方向の一側に偏って形成されている。
ここで対のベルト挿通孔１３間の間隔は、一般的な家庭用エアコンの室外機の厚み（正面と背面の距離）とほぼ等しいか、やや大きくなっている。
また、シェード１０の長手方向の長さは、一般的な家庭用エアコンの室外機の幅（側面間の距離）とほぼ等しいか、やや大きくなっている。
【００１６】
さらに図１および図３のように、発泡樹脂ボード１１の裏面であって、両端のベルト挿通孔１３の間には、ボード１１の幅方向に延びる薄肉部１１ａが、長手方向に２つ並列して形成されている。
この薄肉部１１ａを折り曲げることで、図３（ｂ）のようにシェード１０は３つ折り可能となっており、不使用時に嵩張らないようになっている。
ここで反射層１２は、上記のようにそのポリエチレンフィルム側が発泡樹脂ボード１１に溶着しているため、一体性が良好であり、シェード１０を折り畳んだりして変形させても、反射層１２が樹脂ボード１１からはがれにくくなっている。
特にその金属層は、ＰＥＴフィルムにより覆われて保護されているため、はがれにくいものとなっている。
【００１７】
図２のように、シェード１０を使用する際には、エアコンの室外機２０の上面に、発泡樹脂ボード１１が下側に反射層１２が上側になるように（すなわち発泡樹脂ボード１１の裏面がエアコン室外機２０の上面に接触するように）して載置する。
この際に、上述のようにベルト挿通孔１３は、シェード１０の幅方向の一側に偏っているが、その偏った側が室外機２０の背面側に、他側が室外機２０の正面側になるようにして載置しておく。
【００１８】
そして各一対のベルト挿通孔１３に、それぞれ一本ずつ、計２本の長さ調節可能な平ベルト３０を挿通し、この平ベルト３０をエアコンの室外機２０に両側に縦方向に、すなわち室外機２０の上面から正面、底面、背面にかけて掛け回す。
このように掛け回した状態で、平ベルト３０を長さ調節して室外機２０の周囲に締め付け、シェード１０が室外機の上面でずれ動かないように固定する。
上述したベルト挿通孔１３の位置関係から、シェード１０は室外機２０の背面側よりも正面側により大きく張り出している。
【００１９】
このように、室外機２０の上面にシェード１０を固定すると、室外機２０への直射日光が遮られるため、室外機２０の温度がその運転状態と関係なく上昇することが抑制される。
室外機２０において、とくに昇温を避けたい正面側に、シェード１０は大きく張り出しているため、直射日光が効果的に遮られている。
【００２０】
さらに、この固定状態において、シェード１０の上面側に反射層１２が配置されているため、日光が反射層１２の金属層で効率よく反射され、シェード１０が太陽熱を吸収することが抑制される。
また、反射層１２が若干の太陽熱を吸収したとしても、発泡樹脂ボード１１は断熱性が良好であるため、その熱は室外機２０まで伝導することが防止され、室外機の昇温が一層防止される。
【００２１】
ここで、反射層１２は、金属層をなすアルミニウムは吸熱性が低いため、室外機２０の昇温が特に抑制される。
また、発泡樹脂ボード１１は、ポリエチレンフォームからなるため、断熱性が特に良好である。
【００２２】
さらに発泡樹脂ボード１１を構成するポリエチレンフォームは柔軟であり、しかもコシもあるため、補強の必要がなく、シェード１０は他の物品等にぶつかっても破損したり、他の物品を破損させたりすることがなく、取り扱いが容易である。
ここでポリエチレンフォームは、その発泡倍率を３０倍〜４０倍とすると、特に柔軟性、コシが優れるので、好適である。
またポリエチレンフォームからなる発泡樹脂ボード１１の厚みは、８〜２０ｍｍが断熱性、適度なコシの点から好ましく、反射層１２の厚みは、０．０２〜０．１ｍｍが柔軟性の点から好ましい。
実施形態では、反射層１２のＰＥＴフィルム、ポリエチレンフィルムの厚みは１０μｍ程度、金属層の厚みは蒸着により形成しているため、極僅かなものとなっている。
【００２３】
また、発泡樹脂ボード１１を構成するポリエチレンフォームには、難燃剤が添加されているため、シェード１０は自己消化性を有し、発火したり、室外機２０から延焼したりすることが防止されている。
ポリエチレンフォームに添加される難燃剤としては、特に限定されず、臭素系（ＴＢＢＰＡ、ＤＢＤＰＯ、ＨＢＣＤ、ＴＢＰ他）、塩素系（塩素化パラフィン他）、リン系（リン酸エステル系、含ハロゲンリン酸エステル系他）、無機系（水酸化アルミニウム、三酸化アンチモン他）等が挙げられる。
【００２４】
実施形態では、反射層１２の金属層を低コストや低吸熱性であることからアルミニウムとしたが、これに限定されず、たとえば銅等の他の金属をフィルムに蒸着して形成してもよい。
また、実施形態では、発泡樹脂ボード１１との一体性等を考慮して、フィルムへの蒸着により金属層を形成したが、積層の形式はこれに限定されず、たとえば金属箔を接着剤でフィルムに貼り合わせてもよい。
具体的には、発泡樹脂ボード１１側から順に、１０〜２０μｍ程度のポリエチレンフィルム、５〜１０μｍ程度のアルミニウム箔、１０〜２０μｍ程度のＰＥＴフィルムまたはポリプロピレンフィルムの３層構造としてもよい。
勿論、反射層１２は少なくとも金属層が含まれていればよく、金属層だけを直接発泡樹脂ボード１１に積層してもよい。
フィルムを用いる場合には、その種類は実施形態には限定されない。
【００２５】
実施形態では、発泡樹脂ボード１１を、低コストで柔軟性、コシに優れることからポリエチレンフォームから形成したが、これに限定されず、たとえばポリプロピレンフォーム、メラミンフォーム、ポリウレタンフォームから形成してもよい。
また、シェード１０の設置場所が特に温度が上がらないことが予想される場所、たとえば西日の当たらない場所であれば、難燃剤は添加しなくともよい。
また、実施形態では、発泡樹脂ボード１１に薄肉部１１ａを形成することにより、シェード１０を折り畳み可能としたが、折り畳み可能な構成はこれに限定されず、たとえば発泡樹脂ボード１１に切れ込みを形成したり、切り欠きを形成したりしてもよい。
もちろんシェード１０は、折り畳み可能でなくてもよい。
【００２６】
シェード１０の形状は、実施形態では室外機の形状に合わせて平面視長方形としたが、これに限定されず、たとえば平面視長円形、正方形等としてもよい。
また、シェード１０のベルト挿通孔１３も平ベルトを通しやすいように長円形としたが、これに限定されず、ベルトの形状に合わせて適宜選択できる。
たとえば、丸ベルトの場合には、ベルト挿通孔１３を丸形とすればよい。
ベルト挿通孔１３を省略して、シェード１０を室外機の上に載置した状態で、接着剤、粘着テープなどで固定してもよい。
【００２７】
実施形態では、一般的な家庭用エアコンの室外機に用いるシェード１０について説明したが、勿論工場などの大型の室外機にも用いることができる。
すなわち、シェード１０の大きさ、ベルト挿通孔１３の間隔、位置、数等は、固定対象となる室外機の寸法に応じて適宜調整可能である。
【図面の簡単な説明】
【００２８】
【図１】（ａ）はシェードの平面図、（ｂ）は（ａ）のＡ−Ａ断面図
【図２】シェードの使用状態を示す斜視図
【図３】（ａ）はシェードを裏面から見た斜視図、（ｂ）は（ａ）の折り畳み状態を示す図
【符号の説明】
【００２９】
１０  実施形態のシェード
１１  発泡樹脂ボード
１１ａ  薄肉部
１２  反射層
１３  ベルト挿通孔
２０  エアコンの室外機
３０  平ベルト
【図１】
0003141403.tif 000003
【図２】
0003141403.tif 000004
【図３】
0003141403.tif 000005